(57)【特許請求の範囲】
【請求項１】
カラオケ装置（１）に接続して使用されるカラオケ用ボーカルマイク（２）であって、
マイクカプセル（２０）と、ＤＳＰ［デジタルシグナルプロセッサー。以下、「ＤＳＰ」と記す。］（２１）と、切換スイッチ（２２）と、ＤＳＰ制御回路（２３）と、ＲＡＭ（２４）と、ミキシングアンプ（２５）と、接続スイッチ（２６）と、声量調節回路（２７）と、混合回路（２８）と、キー・テンポ調節回路（２９）とを具備し、
ＤＳＰ（２１）は、切換スイッチ（２２）を介してマイクカプセル（２０）に接続されると共に、ＤＳＰ制御回路（２３）、ＲＡＭ（２４）及びミキシングアンプ（２５）に接続され、
切換スイッチ（２２）は、マイクカプセル（２０）の出力ラインを、音量調節回路（２７）に接続する第１接続位置と、ＤＳＰ（２１）に接続する第２接続位置との間で切換え可能なように構成され、
ＤＳＰ制御回路（２３）は、操作スイッチと、カラオケ装置（１）の制御信号出力端子（１０）に接続される外部入力ライン（２３０）とを有し、上記操作スイッチの入力信号及びカラオケ装置（１）からの制御信号によって、ＤＳＰ（２１）に所要の処理を行わせるよう構成され、
ＲＡＭ（２４）は、ＤＳＰ（２１）に接続され、ＤＳＰ制御回路（２３）の指令に応じて、ＤＳＰ（２１）で処理された信号を一時的に記録し、所定時間経過後にその信号をＤＳＰ（２１）に出力するよう構成され、
ミキシングアンプ（２５）は、ＤＳＰ（２１）に接続されると共に、接続スイッチ（２６）を介してマイクカプセル（２０）に接続され、
声量調節回路（２７）は、操作スイッチを有し、ミキシングアンプ（２５）に接続されると共に、切換スイッチ（２２）を介してマイクカプセル（２０）と接続され、ミキシングアンプ又はマイクカプセルから出力される音声信号の音量を所要のレベルに調節し得るよう構成され、
混合回路（２８）は、音量調節回路（２７）に接続されると共に、カラオケ装置（１）のマイク入力端子（１１）に接続される外部出力ライン（２８０）を有し、
キー・テンポ調節回路（２９）は、操作スイッチを有すると共に、混合回路（２８）に接続され、
以上の回路構成において、切換スイッチ（２２）を、音量調節回路（２７）側の第１接続位置に切り換えると共に、接続スイッチ（２６）を切った状態で使用するときは、ボイスエフェクト機能のない通常の使用が可能となり、
声量調節回路（２７）の操作スイッチを操作することにより、音量のレベルが調節され、これによって声量調節装置が構成され、
キー・テンポ調節回路（２９）の操作スイッチを操作することにより、その操作に応じてカラオケ曲のキー又はテンポを変化させるための制御信号が混合回路（２８）を経由してカラオケ装置（１）に出力され、カラオケ装置（１）は当該制御信号に基づきキー・テンポを変化させ得ることによって、キー・テンポ調節装置が構成され、
外部入力ライン（２３０）を経由してカラオケ装置（１）からＤＳＰ制御回路（２３）にハーモナイズ装置の作動指令信号が入力されることにより、切換スイッチ（２２）がＤＳＰ（２１）側の第２接続位置に切り換えられると共に、接続スイッチ（２６）が接続状態となり、これにより、ＤＳＰ（２１）で指定された高さまで音程が変えられた歌声の信号と、マイクカプセル（２０）から直接入力される歌声の信号とが、ミキシングアンプ（２５）で重ねられ、重唱の歌声信号としてカラオケ装置（１）に対して出力されることによって、ハーモナイズ装置が構成され、
カラオケ装置（１）から外部入力ライン（２３０）を通じてＤＳＰ制御回路（２３）にデュエット／ボイスチェンジ装置の作動指令信号が入力されたとき、切換スイッチ（２２）がＤＳＰ（２１）側の第２接続位置に切り換えられると共に、接続スイッチ（２６）が切られ、マイクカプセル（２０）からＤＳＰ（２１）に入力された歌声の信号が、上記作動信号に応じてその声質が変化せしめられることによって、デュエット／ボイスチェンジ装置が構成され、
切換スイッチ（２２）がＤＳＰ（２１）側の第２接続位置に切り換えられると共に、接続スイッチ（２６）が切られ、マイクカプセル（２０）からＤＳＰ（２１）に入力された歌声の信号が、ＤＳＰ制御回路（２３）に送出され、ＤＳＰ制御回路（２３）において、カラオケ装置（１）から入力された歌声の適正な音程のデータと比較され、歌唱者の歌声が適正な音程からずれている場合には、ＤＳＰ（２１）により、ずれている歌声の音程を適正なものに修正することによって、アジャスト装置が構成され、
切換スイッチ（２２）がＤＳＰ（２１）側の第２接続位置に切り換えられると共に、接続スイッチ（２６）が接続状態となり、ＤＳＰ（２１）に入力された歌声の信号がＲＡＭ（２４）に一度記録された上、所定時間経過後に遅延して読み出されてミキシングアンプ（２５）に送られ、ミキシングアンプ（２５）において、マイクカプセル（２０）から直接入力された歌声の信号と混合されることによって、ユニゾン装置が構成されること、
を特徴とするカラオケ用ボーカルマイク。
【発明の詳細な説明】
【０００１】
【発明の属する技術分野】
本発明は、カラオケ装置に接続して使用される、有線又は無線のカラオケ用ボーカルマイクに関する。
【０００２】
【従来の技術】
近年、カラオケ装置には歌唱者が気持ち良くかつ楽しんで歌えるようにするための様々な音声調整装置が設けられている。
このような装置として、例えば、声量調節装置、テンポやキーの調節装置及びボイスエフェクト装置等がある。
声量調節装置とは、歌唱者の歌声のボリュームを調節するものであり、テンポやキーの調節装置はカラオケ曲を歌唱者の好みのテンポやキーに変換するものである。
【０００３】
また、ボイスエフェクト装置とは、例えば、ハーモナイズ装置、デュエット／ボイスチェンジ装置、アジャスト装置、ユニゾン装置等をいう。ハーモナイズ装置とは、歌唱者の歌声の音程を変えて、元の歌声と和音を構成するようにして元の歌声と変化後のものを同時に出力し、一人で重唱できるようにするものである。
【０００４】
デュエット／ボイスチェンジ装置は、男性の歌声を女性の歌声に、女性の歌声を男性の歌声に変えて出力したり、一人でデュエット曲の男声部と女声部とを声質を変えて交互に歌い別けられるようにするものである。
アジャスト装置は、歌唱者の歌声の音程を本来のメロディラインと比較し、そのメロディラインから外れたときに歌声の高さを適正に修正するものである。
ユニゾン装置は、歌唱者の歌声と同一の高さの歌声を歌唱者のものより若干遅延させて出力して歌声に厚みと奥行きを持たせ、不安定な歌声を矯正するものである。
【０００５】
従来、このような音声調整装置は、カラオケ装置内に設けられ、その操作スイッチ等もカラオケ装置本体に設けられていることが多く、歌唱者が歌唱中にこれらの装置を利用しようとする場合は、他の者に頼むか、歌いながらカラオケ装置に歩み寄って行くしかなく、不便である上、上記のような装置を具備していない旧型のカラオケ装置の所有者が、このような様々な装置を利用したいと思っても、カラオケ装置自体を買い換える以外に方法はなく、不経済であるという問題があった。
上記の問題のうち前者を解決するために、本体から着脱自在のコントローラーを設けるようにしたものもあるが、後者の問題は未だ解決されていない。
【０００６】
【発明が解決しようとする課題】
本発明は上記の問題を解決するためなされたものであり、その目的とするところは、歌唱者が手元で操作して様々な音声調整装置を利用でき、かつ、旧型のカラオケ装置でもこのような装置を利用できるようにすることにある。
【０００７】
【課題を解決するための手段】
上記の目的は、
カラオケ装置に接続して使用されるカラオケ用ボーカルマイクであって、
マイクカプセルと、ＤＳＰ（デジタルシグナルプロセッサー。以下、「ＤＳＰ」と記す。）と、切換スイッチと、ＤＳＰ制御回路と、ＲＡＭと、ミキシングアンプと、接続スイッチと、声量調節回路と、混合回路と、キー・テンポ調節回路とを具備し、
ＤＳＰは、切換スイッチを介してマイクカプセルに接続されると共に、ＤＳＰ制御回路、ＲＡＭ及びミキシングアンプに接続され、
切換スイッチは、マイクカプセルの出力ラインを、音量調節回路に接続する第１接続位置と、ＤＳＰに接続する第２接続位置との間で切換え可能なように構成され、
ＤＳＰ制御回路は、操作スイッチと、カラオケ装置の制御信号出力端子に接続される外部入力ラインとを有し、上記操作スイッチの入力信号及びカラオケ装置からの制御信号によって、ＤＳＰに所要の処理を行わせるよう構成され、
ＲＡＭは、ＤＳＰに接続され、ＤＳＰ制御回路の指令に応じて、ＤＳＰで処理された信号を一時的に記録し、所定時間経過後にその信号をＤＳＰに出力するよう構成され、
ミキシングアンプは、ＤＳＰに接続されると共に、接続スイッチを介してマイクカプセルに接続され、
声量調節回路は、操作スイッチを有し、ミキシングアンプに接続されると共に、切換スイッチを介してマイクカプセルと接続され、ミキシングアンプ又はマイクカプセルから出力される音声信号の音量を所要のレベルに調節し得るよう構成され、
混合回路は音量調節回路に接続されると共に、カラオケ装置のマイク入力端子に接続される外部出力ラインを有し、
キー・テンポ調節回路は、操作スイッチを有すると共に、混合回路に接続され、
以上の回路構成において、切換スイッチを、音量調節回路側の第１接続位置に切り換えると共に、接続スイッチを切った状態で使用するときは、ボイスエフェクト機能のない通常の使用が可能となり、
声量調節回路の操作スイッチを操作することにより、音量のレベルが調節され、これによって声量調節装置が構成され、
キー・テンポ調節回路の操作スイッチを操作することにより、その操作に応じてカラオケ曲のキー又はテンポを変化させるための制御信号が混合回路を経由してカラオケ装置に出力され、カラオケ装置は当該制御信号に基づきキー・テンポを変化させ得ることによって、キー・テンポ調節装置が構成され、
外部入力ラインを経由してカラオケ装置からＤＳＰ制御回路にハーモナイズ装置の作動指令信号が入力されることにより、切換スイッチがＤＳＰ側の第２接続位置に切り換えられると共に、接続スイッチが接続状態となり、これにより、ＤＳＰで指定された高さまで音程が変えられた歌声の信号と、マイクカプセルから直接入力される歌声の信号とが、ミキシングアンプで重ねられ、重唱の歌声信号としてカラオケ装置に対して出力されることによって、ハーモナイズ装置が構成され、
カラオケ装置から外部入力ラインを通じてＤＳＰ制御回路にデュエット／ボイスチェンジ装置の作動指令信号が入力されたとき、切換スイッチがＤＳＰ側の第２接続位置に切り換えられると共に、接続スイッチが切られ、マイクカプセルからＤＳＰに入力された歌声の信号が、上記作動信号に応じてその声質が変化せしめられることによって、デュエット／ボイスチェンジ装置が構成され、
切換スイッチがＤＳＰ側の第２接続位置に切り換えられると共に、接続スイッチが切られ、マイクカプセルからＤＳＰに入力された歌声の信号が、ＤＳＰ制御回路に送出され、ＤＳＰ制御回路において、カラオケ装置から入力された歌声の適正な音程のデータと比較され、歌唱者の歌声が適正な音程からずれている場合には、ＤＳＰにより、ずれている歌声の音程を適正なものに修正することによって、アジャスト装置が構成され、
切換スイッチがＤＳＰ側の第２接続位置に切り換えられると共に、接続スイッチが接続状態となり、ＤＳＰに入力された歌声の信号がＲＡＭに一度記録された上、所定時間経過後に遅延して読み出されてミキシングアンプに送られ、ミキシングアンプにおいて、マイクカプセルから直接入力された歌声の信号と混合されることによって、ユニゾン装置が構成されること、
を特徴とするカラオケ用ボーカルマイクにより達成される。
【０００８】
【発明の実施の形態】
以下、図面により本発明の詳細を説明する。
図１は本発明に係るカラオケ用ボーカルマイク（以下、単にマイクという。）の一実施例を示すブロック図である。
図中、１はカラオケ装置、２はマイクである。
【０００９】
カラオケ装置１は、図示しないディスプレイ装置とスピーカーを具備し、歌唱者に所望のカラオケ曲及び画像情報を提供するものである。
このカラオケ装置１は、声量調節装置、キー・テンポ調節装置、ハーモナイズ装置、デュエット／ボイスチェンジ装置、アジャスト装置及びユニゾン装置を有するマイク２に対応した機能を有するものであり、制御信号出力端子１０及びマイク入力端子１１を具備する。
【００１０】
このカラオケ装置１にセットされるカラオケソフトには、ハーモナイズ装置並びにデュエット／ボイスチェンジ装置の使用箇所のデータ及びアジャスト装置に使用される適正なメロディーラインのデータが記録されており、制御信号出力端子１０から演奏されるカラオケ曲に合わせて、これらの装置に関するデータが出力される。
マイク入力端子１１は、マイク２から出力される信号を入力する。
【００１１】
マイク２は、マイクカプセル２０と、ＤＳＰ２１と、切換スイッチ２２と、ＤＳＰ制御回路２３と、ＲＡＭ２４と、ミキシングアンプ２５と、接続スイッチ２６と、声量調節回路２７と、混合回路２８と、キー・テンポ調節回路２９とを具備する。
なお、本発明における音声調整装置は、ＤＳＰ２１、ＤＳＰ制御回路２３、ＲＡＭ２４、ミキシングアンプ２５、声量調節回路２７及びキー・テンポ調節回路２９から成り、これらを組み合わせることにより、声量調節装置、キー・テンポ調節装置、ハーモナイズ装置、デュエット／ボイスチェンジ装置、アジャスト装置及びユニゾン装置は構成される。
マイクカプセル２０は、歌声を集音し、電気信号化するものである。
ＤＳＰ２１はデジタルシグナルプロセッサーであり、切換スイッチ２２を介してマイクカプセル２０に接続され、ＤＳＰ制御回路２３の指令に基づき歌声の電気信号を処理し、歌声の音質を変化させる。
【００１２】
ＤＳＰ制御回路２３は、ＤＳＰ２１に接続され、図示しないマイクのケーシングの外部に露出する操作スイッチ及びカラオケ装置１の制御信号出力端子１０に接続される外部入力ライン２３０を有し、操作スイッチの入力信号及びカラオケ装置１からの制御信号によって、ＤＳＰ２１に所要の処理を行わせるものである。
ＲＡＭ２４は、ＤＳＰ２１に接続され、ＤＳＰ制御回路２３の指令に応じ、ＤＳＰ２１で処理された信号を一時的に記録し、所定時間経過後にその信号をＤＳＰ２１に出力するものである。
【００１３】
ミキシングアンプ２５は、ＤＳＰ２１と、接続スイッチ２６を介してマイクカプセル２０に接続される。
声量調節回路２７は、図示しないマイクのケーシングの外部に露出する操作スイッチを有し、ミキシングアンプ２５に接続され、ミキシングアンプ２５から出力される音声信号の音量を所要のレベルに調節する。
【００１４】
また、音量調節回路２７には、切換スイッチ２２を介してマイクカプセル２０が接続される。
混合回路２８は音量調節回路２７に接続され、カラオケ装置１のマイク入力端子１１に接続される外部出力ライン２８０を有する。
キー・テンポ調節回路２９は図示しないマイクのケーシングの外部に露出する操作スイッチを有し、混合回路２８に接続される。
【００１５】
このマイク２は外部入力ライン２３０をカラオケ装置１の制御信号出力端子１０に、外部出力ライン２８０をマイク入力端子１１に接続して使用するものである。
このマイク２は、通常は切換スイッチ２２が音量調節回路２７側に切り換えられ、接続スイッチ２６が切られた状態で使用され、歌唱者の歌声の信号は、直接声量調節回路２７に送出される。
このマイク２において、声量調節装置を使用するときは、声量調節回路２７の操作スイッチを操作すればよく、この操作に応じて音量のレベルが調節され、調節された信号は混合回路２８を経てカラオケ装置１に出力される。
【００１６】
また、歌唱前又は歌唱中にキー・テンポ調節装置を使用するときは、キー・テンポ調節回路２９の操作スイッチを操作すればよく、その操作に応じてカラオケ曲のキー又はテンポを変化させるための制御信号が混合回路２８に出力される。
この制御信号は、歌唱前のときは混合回路２８を経由してそのままカラオケ装置１に発信され、歌唱中には、混合回路２８で音声信号と混合されて出力される。
カラオケ装置１は、マイク２からのキー・テンポの制御信号に基づいて、キー・テンポを変化させるが、音声信号と共にキー・テンポの制御信号が入力されたときは、制御信号を音声信号から分離してキー・テンポの変更を行う。
【００１７】
また、ハーモナイズ装置を使用するときは、まず、ハーモナイズ装置を作動させるスイッチを入れる。その後、外部入力ライン２３０を経由してカラオケ装置１からＤＳＰ制御回路２３に、ハーモナイズ装置の作動指令信号が入力されると、切換スイッチ２２がＤＳＰ２１側に切り換えられると共に、接続スイッチ２６が接続される。そして、ＤＳＰ２１に送出された歌声の信号は、その作動信号に応じて、指定された高さまでその音程が変えられ、音程が変えられた信号は、ミキシングアンプ２５でマイクカプセル２０から直接入力される歌声の信号と重ねられ、音量調節回路２７に出力され、カラオケ装置１に入力され、そのスピーカーから重唱の歌声として出力される。
【００１８】
また、デュエット／ボイスチエンジ装置を使用するときは、その装置を作動させるスイッチを入れた後、歌唱者の性別を入力する。この後、カラオケ装置１からＤＳＰ制御回路２３に、デュエット／ボイスチェンジ装置の作動指令信号が入力されると、切換スイッチ２２がＤＳＰ２１側に切り換えられると共に、接続スイッチ２６が切られる。
そして、ＤＳＰ２１に送出された歌声の信号は、その作動信号に応じて、その声質が男性又は女性のものに変えられ、カラオケ装置１のスピーカーから出力される。
【００１９】
また、アジャスト装置を使用するときは、まず、その装置を作動させるスイッチを入れる。この操作によって、切換スイッチ２２がＤＳＰ２１側に切り換えられると共に、接続スイッチ２６が切られる。
そして、ＤＳＰ２１に送出された歌声の信号は、ＤＳＰ制御回路２３に送出される。ＤＳＰ制御回路２３には、カラオケ装置１からカラオケ曲の再生と共に、歌声の適正な音程のデータが入力されるので、ＤＳＰ制御回路２３は、そのデータと歌唱者の歌声のものとを比較し、歌唱者のものがカラオケ装置１からの送出されたものからずれている場合、ＤＳＰ２１にずれている歌声の音程を適正なものに修正させる。
この結果、カラオケ装置１のスピーカーからは適正な音程の歌声が流れるものである。
【００２０】
また、ユニゾン装置を使用するときは、その装置を作動させるスイッチを入れる。切換スイッチ２２がＤＳＰ２１側に切り換えられると共に、接続スイッチ２６が接続される。
そして、ＤＳＰ２１に送出された歌声の信号は、一度ＲＡＭ２４に記録され、所定時間経過後、若干遅延して読み出され、ミキシングアンプ２５に送出され、ミキシングアンプ２５でマイクカプセル２０から直接入力された歌声の信号と混合され、厚みと奥行きのある歌声としてカラオケ装置１のスピーカーから出力される。
【００２１】
また、このマイク２の各装置のうち、キー・テンポ調節装置及びアジャスト装置以外のものは、マニュアルで操作できる。このため、カラオケ装置１からの制御信号によって何れかの装置が作動していても、操作スイッチを操作することによって音声を自由に変化させることができるし、また、このマイク２を制御信号出力端子を有しない一般的なカラオケ装置に、外部出力ライン２８０のみを接続して、マイクのスイッチを操作しながら様々な装置を利用して音声を変化させて歌唱することもできる。
【００２２】
なお、本発明は叙上の実施例に限定されるものではない。
例えば、マイクはワイヤレス式のものとすることもできる。また、マイクに設けられる操作スイッチは、装置ごとに異なるものを設けても、少数のスイッチを設けて複数の装置の操作に使用するようにしてもよく、本発明は上記の説明から当業者が容易に想到し得る総ての変更実施例を包摂するものである。
【００２３】
【発明の効果】
本発明に係るカラオケ用ボーカルマイクは叙上の如く構成されるので、本発明によるときは、歌唱者が手元で操作して様々な音声調整装置を利用でき、かつ、旧型のカラオケ装置でもこのような機能を利用できる。
【図面の簡単な説明】
【図１】本発明に係るカラオケ用ボーカルマイクの一実施例を示すブロック図である。
【符号の説明】
１・・・・・・カラオケ装置
１０・・・・・制御信号出力端子
１１・・・・・マイク入力端子
２・・・・・・マイク
２０・・・・・マイクカプセル
２１・・・・・ＤＳＰ
２２・・・・・切換スイッチ
２３・・・・・ＤＳＰ制御回路
２３０・・・・外部入力ライン
２４・・・・・ＲＡＭ
２５・・・・・ミキシングアンプ
２６・・・・・接続スイッチ
２７・・・・・声量調節回路
２８・・・・・混合回路
２８０・・・・外部出力ライン
２９・・・・・キー・テンポ調節回路
【図１】
0003781207.tif 000002